(57)【要約】【課題】ベース体によって第１筐体と第２筐体がスライド可能に支持された開閉式小型電子機器において、開閉時の操作性を向上させる。【解決手段】本発明に係る開閉式小型電子機器は、ベース体３によって第１筐体１と第２筐体２がスライド可能に支持され、付勢機構と、係止機構と、係止解除機構とを具える。付勢機構は、第１筐体１を閉じ位置から第２開き位置へ向けて付勢すると共に、第２筐体２を第１開き位置から閉じ位置へ向けて付勢する。係止機構は、付勢力に抗して第１筐体１が閉じ位置にて係止された状態と、付勢力に抗して第２筐体２が第１開き位置にて係止された状態とを実現できる。係止解除機構は、第２筐体２が閉じ位置から第１開き位置までスライドする動作に連動して、係止機構による第１筐体１の係止を解除し、第１筐体１が第２開き位置から閉じ位置までスライドする動作に連動して、係止機構による第２筐体２の係止を解除する。【選択図】図１４
2010154149.tif 000002
【特許請求の範囲】
【請求項１】
ベース体によって第１筐体と第２筐体がスライド可能に支持され、第２筐体は、該第２筐体によって第１筐体の全表面を覆うと共に該第２筐体の表面を露出させることが可能な閉じ位置と、該閉じ位置に第１筐体を配置した場合に該第１筐体の表面の一部が露出する第１開き位置との間で移動可能であり、第１筐体は、前記閉じ位置と、第１開き位置に第２筐体を配置した場合に第１筐体の全表面が露出する第２開き位置との間で移動が可能であり、
第１筐体を閉じ位置から第２開き位置へ向けて付勢すると共に、第２筐体を第１開き位置から閉じ位置へ向けて付勢する付勢機構と、
第１筐体に対する付勢機構の付勢力に抗して第１筐体が閉じ位置にて係止された状態と、第２筐体に対する付勢機構の付勢力に抗して第２筐体が第１開き位置にて係止された状態とを実現することが可能な係止機構と、
第２筐体が閉じ位置から第１開き位置までスライドする動作に連動して、係止機構による第１筐体の係止を解除し、第１筐体が第２開き位置から閉じ位置までスライドする動作に連動して、係止機構による第２筐体の係止を解除する係止解除機構
とを具える開閉式小型電子機器。
【請求項２】
第２筐体の裏面側には、該裏面に向けて第１係合部と第２係合部が突設されたロック部が配備され、ロック部は、第１ばね部材によって第２筐体の裏面に向けて付勢されており、
第１筐体は、閉じ位置から第２開き位置へ向けて第２ばね部材によって付勢され、第１筐体の裏面には、第１傾斜面と第１係合受け部が形成され、第１傾斜面には、第１筐体が第２開き位置から閉じ位置まで移動する過程において前記ロック部の第１係合部が当接し、第１係合受け部には、閉じ位置にて第１係合部が係脱可能に嵌め込まれ、
第２筐体は、第１開き位置から閉じ位置へ向けて第３ばね部材によって付勢され、第２筐体の裏面には、第２傾斜面と第２係合受け部が形成され、第２傾斜面には、第２筐体が閉じ位置から第１開き位置まで移動する過程において前記ロック部の第２係合部が当接し、第２係合受け部には、第１開き位置にて第２係合部が係脱可能に嵌め込まれ、
前記第２ばね部材と第３ばね部材によって前記付勢機構が構成され、前記ロック部と第１及び第２係合部受け部によって前記係止機構が構成され、前記ロック部と第１及び第２傾斜面によって前記係止解除機構が構成されている請求項１に記載の開閉式小型電子機器。
【請求項３】
前記第１筐体と第２筐体の表面にはそれぞれ第１ディスプレイと第２ディスプレイが設置され、前記閉じ位置は、第２筐体によって第１ディスプレイの全表面を覆うことが可能である前記第１筐体及び第２筐体の位置であり、前記第１開き位置は、閉じ位置に第１筐体を配置した場合に第１ディスプレイの表面の一部が露出することになる第２筐体の位置であり、前記第２開き位置は、第１開き位置に第２筐体を配置した場合に第１ディスプレイの全表面が露出することになる第１筐体の位置である請求項１又は請求項２に記載の開閉式小型電子機器。
【請求項４】
第２筐体には、第２ディスプレイの少なくとも一部の表面を覆って、透光性を有する入力用タッチパネルが設置されている請求項３に記載の開閉式小型電子機器。
【発明の詳細な説明】
【技術分野】
【０００１】
本発明は携帯電話機等の小型電子機器に関し、特に、スライド可能な２つの筐体のそれぞれにディスプレイを配備した開閉式小型電子機器に関するものである。
【背景技術】
【０００２】
近年、携帯電話機においては、益々多機能化が進んでおり、これに伴ってディスプレイに表示すべき情報も多種多様となっているため、ディスプレイの大画面化が図られている。しかしながら、ディスプレイの画面の大きさは、筐体の大きさにより制限されるため、ディスプレイの大画面化にも限界がある。
【０００３】
ところで、携帯用の表示装置において、２つの筐体を折り畳み可能に連結して、両筐体の内面にそれぞれディスプレイを配備し、２画面によって多くの情報を表示することが提案されている(特許文献１)。
【０００４】
そこで、第１筐体と第２筐体を折り畳み可能に連結した折り畳み式携帯電話機において、第１筐体と第２筐体の内面にそれぞれディスプレイを配備する構成や、第１筐体と第２筐体をスライド可能に連結したスライド式携帯電話機において、第１筐体と第２筐体の表面にそれぞれディスプレイを配備する構成が考えられる。
【０００５】
特にスライド式携帯電話機については、第１筐体と第２筐体をスライド可能にベース体に支持し、ベース体に対して両筐体を互いに反対方向にスライドすることにより両筐体のディスプレイを露出させる構成が考えられる。
【特許文献１】特開平１１−１６７３５４号公報
【発明の開示】
【発明が解決しようとする課題】
【０００６】
しかしながら、上述したスライド式携帯電話機を開閉する場合、第１筐体と第２筐体を手動でスライドする必要があるため、該スライド式携帯電話機は、開閉時の操作性が悪いという問題があった。
【０００７】
そこで本発明の目的は、ベース体によって第１筐体と第２筐体がスライド可能に支持された開閉式小型電子機器において、開閉時の操作性を向上させることである。
【課題を解決するための手段】
【０００８】
本発明に係る開閉式小型電子機器は、ベース体（３）によって第１筐体（１）と第２筐体（２）がスライド可能に支持され、第２筐体（２）は、該第２筐体（２）によって第１筐体（１）の全表面を覆うと共に該第２筐体（２）の表面を露出させることが可能な閉じ位置と、該閉じ位置に第１筐体（１）を配置した場合に該第１筐体（１）の表面の一部が露出する第１開き位置との間で移動可能であり、第１筐体（１）は、前記閉じ位置と、第１開き位置に第２筐体（２）を配置した場合に第１筐体（１）の全表面が露出する第２開き位置との間で移動が可能であり、
第１筐体（１）を閉じ位置から第２開き位置へ向けて付勢すると共に、第２筐体（２）を第１開き位置から閉じ位置へ向けて付勢する付勢機構と、
第１筐体（１）に対する付勢機構の付勢力に抗して第１筐体（１）が閉じ位置にて係止された状態と、第２筐体（２）に対する付勢機構の付勢力に抗して第２筐体（２）が第１開き位置にて係止された状態とを実現することが可能な係止機構と、
第２筐体（２）が閉じ位置から第１開き位置までスライドする動作に連動して、係止機構による第１筐体（１）の係止を解除し、第１筐体（１）が第２開き位置から閉じ位置までスライドする動作に連動して、係止機構による第２筐体（２）の係止を解除する係止解除機構とを具える。
【０００９】
上記開閉式小型電子機器によれば、第２筐体（２）によって第１筐体（１）の全表面が覆われた状態から、第１筐体（１）の全表面を露出させる場合、第２筐体（２）を付勢機構の付勢力に抗して閉じ位置から第１開き位置まで手動でスライドさせることにより、第２筐体（２）のスライド動作に連動して係止機構による第１筐体（１）の係止が係止解除機構によって解除され、従って第１筐体（１）は、付勢機構の付勢力によって閉じ位置から第２開き位置まで移動することとなる。第１開き位置まで移動した第２筐体（２）は、係止機構によって係止され、付勢機構の付勢力に抗して第１開き位置に維持されることとなる。その結果、第１筐体（１）の全表面が露出することとなる。
【００１０】
一方、第１筐体（１）の全表面が露出した状態から、第２筐体（２）によって第１筐体（１）の全表面を覆う場合、第１筐体（１）を付勢機構の付勢力に抗して第２開き位置から閉じ位置まで手動でスライドさせることにより、第１筐体（１）のスライド動作に連動して係止機構による第２筐体（２）の係止が係止解除機構によって解除され、従って第２筐体（２）は、付勢機構の付勢力によって第１開き位置から閉じ位置まで移動することとなる。閉じ位置まで移動した第１筐体（１）は、係止機構によって係止され、付勢機構の付勢力に抗して閉じ位置に維持されることとなる。その結果、第２筐体（２）によって第１筐体（１１）の全表面が覆われることとなる。
【００１１】
従って、上記開閉式小型電子機器においては、第１及び第２筐体（１，２）の何れか一方の筐体を操作するだけで、第２筐体（２）によって第１筐体（１）の全表面が覆われた状態と、第１筐体（１）の全表面が露出した状態とを実現することが出来、その結果、開閉式小型電子機器の開閉時の操作性が向上することとなる。
【００１２】
具体的構成において、第２筐体（２）の裏面側には、該裏面に向けて第１係合部（５１）と第２係合部（５２）が突設されたロック部（５）が配備され、ロック部（５）は、第１ばね部材（６１）によって第２筐体（２）の裏面に向けて付勢されており、
第１筐体（１）は、閉じ位置から第２開き位置へ向けて第２ばね部材（６２）によって付勢され、第１筐体（１）の裏面には、第１傾斜面（１４）と第１係合受け部（１３）が形成され、第１傾斜面（１４）には、第１筐体（１）が第２開き位置から閉じ位置まで移動する過程において前記ロック部（５）の第１係合部（５１）が当接し、第１係合受け部（１３）には、閉じ位置にて第１係合部（５１）が係脱可能に嵌め込まれ、
第２筐体（２）は、第１開き位置から閉じ位置へ向けて第３ばね部材（６３）によって付勢され、第２筐体（２）の裏面には、第２傾斜面（２５１）と第２係合受け部（２３）が形成され、第２傾斜面（２５１）には、第２筐体（２）が閉じ位置から第１開き位置まで移動する過程において前記ロック部（５）の第２係合部（５２）が当接し、第２係合受け部（２３）には、第１開き位置にて第２係合部（５２）が係脱可能に嵌め込まれ、
前記第２ばね部材（６２）と第３ばね部材（６３）によって前記付勢機構が構成され、前記ロック部（５）と第１及び第２係合部受け部（１３，２３）によって前記係止機構が構成され、前記ロック部（５）と第１及び第２傾斜面（１４，２５１）によって前記係止解除機構が構成されている。
【００１３】
上記具体的構成によれば、第２筐体（２）によって第１筐体（１）の全表面が覆われた状態から、第１筐体（１）の全表面を露出させる場合、第２筐体（２）を第３ばね部材（６３）の付勢力に抗して閉じ位置から第１開き位置まで手動でスライドさせることにより、その過程においてロック部（５）の第２係合部（５２）が第２傾斜面（２５１）に当接した後、第２筐体（２）のスライド動作に連動して第２係合部（５２）は第２傾斜面（２５１）を摺動し、これにより第２係合部（２）は第１ばね部材（６１）の付勢力に抗して付勢方向とは反対方向に移動することとなる。これに伴って第１係合部（５１）は、第２係合部（５２）と同じ方向に移動して第１係合受け部（１３）から離脱し、従って第１筐体（１）は、第２ばね部材（６２）の付勢力によって閉じ位置から第２開き位置まで移動することとなる。第１開き位置まで手動で移動させた第２筐体（２）は、第２係合受け部（２３）に第２係合部（５２）が係合することによって、第３ばね部材（６３）の付勢力に抗して第１開き位置にて維持されることとなる。その結果、第１筐体（１）の全表面が露出することとなる。
【００１４】
一方、第１筐体（１）の全表面が露出した状態から、第２筐体（２）によって第１筐体（１）の全表面を覆う場合、第１筐体（１）を第２ばね部材（６２）の付勢力に抗して第２開き位置から閉じ位置まで手動でスライドさせることにより、その過程においてロック部（５）の第１係合部（５１）が第１傾斜面（１４）に当接した後、第１筐体（１）のスライド動作に連動して第１係合部（５１）は第１傾斜面（１４）を摺動し、これにより第１係合部（１）は第１ばね部材（６１）の付勢力に抗して付勢方向とは反対方向に移動することとなる。これに伴って第２係合部（５２）は、第１係合部（５１）と同じ方向に移動して第２係合受け部（２３）から離脱し、従って第２筐体（２）は、第３ばね部材（６３）の付勢力によって第１開き位置から閉じ位置に移動することとなる。閉じ位置まで手動で移動させた第１筐体（１）は、第１係合受け部（１３）に第１係合部（５１）が係合することによって、付勢機構の付勢力に抗して閉じ位置に維持されることとなる。その結果、第２筐体（２）によって第１筐体（１）の全表面が覆われることとなる。
【００１５】
他の具体的構成において、第１筐体（１）と第２筐体（２）の表面にはそれぞれ第１ディスプレイ（１１）と第２ディスプレイ（２１）が設置され、前記閉じ位置は、第２筐体（２）によって第１ディスプレイ（１１）の全表面を覆うことが可能である第１筐体（１）及び第２筐体（２）の位置であり、前記第１開き位置は、閉じ位置に第１筐体（１）を配置した場合に第１ディスプレイ（１１）の表面の一部が露出することになる第２筐体（２）の位置であり、第２開き位置は、第１開き位置に第２筐体（２）を配置した場合に第１ディスプレイ（１１）の全表面が露出することになる第１筐体（１）の位置である。
【００１６】
更に他の具体的構成において、第２筐体（２）には、第２ディスプレイ（２１）の少なくとも一部の表面を覆って、透光性を有する入力用タッチパネルが設置されている。
該具体的構成によれば、第１筐体(１)と第２筐体(２)が互いに閉じた状態で、第２筐体(２)の第２ディスプレイ（２１）に画像等を表示すると共に、入力用タッチパネルの操作によって文字等を入力することが可能となる。
【発明の効果】
【００１７】
本発明に係る開閉式小型電子機器によれば、ベース体によってスライド可能に支持された第１筐体と第２筐体の開閉時の操作性を向上させることが出来る。
【発明を実施するための最良の形態】
【００１８】
以下、本発明の実施の形態につき、図面に沿って具体的に説明する。
本発明に係る開閉式小型電子機器は、図１に示す如く、扁平な直方体状を呈する第１筐体１と、扁平な直方体状を呈する第２筐体２とを具え、両筐体１，２は、ベース体３によって支持されると共に、互いにスライド可能に連結されている。尚、図１では、第２筐体２が第１筐体に対して僅かにスライドした状態が示されている。
【００１９】
図３に示す如く、第１筐体１と第２筐体２の表面にはそれぞれ、第１ディスプレイ１１と第２ディスプレイ２１が設置されている。
本実施の形態に係る開閉式小型電子機器では、第２ディスプレイ２１の少なくとも一部の表面を覆って、透光性を有する入力用タッチパネルが設置されている（図示せず）。これにより、入力用タッチパネルの操作による文字等の入力が可能となる。第１ディスプレイ１１の表面にも同様に入力用タッチパネルを設置してもよい。
【００２０】
第２筐体２は、図９に示す如く閉じ位置と、図１０に示す如く第１開き位置との間で移動可能であり、第１筐体１は、図９に示す如く閉じ位置と、図１１に示す如く第２開き位置との間で移動可能である。
ここで、閉じ位置は、図９に示す様に第２筐体２によって第１ディスプレイ１１の全表面を覆うことが可能な、第１筐体１の位置又は第２筐体２の位置である。第１開き位置は、図１０に示す様に閉じ位置に第１筐体１を配置した場合に、第１ディスプレイ１１の表面の一部が露出する第２筐体２の位置である。第２開き位置は、図１１に示す様に第１開き位置に第２筐体２を配置した場合に、第１ディスプレイ１１の全表面が露出する第１筐体１の位置である。
【００２１】
第１筐体１と第２筐体２は、図９〜図１２に示す様に、左右両側部にて一対のリンク機構４，４によって互いに連結されており、図９に示す如く第２筐体２によって第１ディスプレイ１１の全表面を覆うと共に第２ディスプレイ２１の表面を露出させた全閉位置と、図１０に示す様に第２筐体２がスライドして第１ディスプレイの表面の一部を露出させた後、図１１に示す様に第１筐体１がスライドして第１ディスプレイ１１の全表面を露出させた中間位置と、図１２に示す様に両ディスプレイ１１，２１の表面を略同一平面上に並べて露出させた全開位置との間で、往復移動が可能となっている。
尚、全閉位置では、第１筐体１及び第２筐体２は何れも閉じ位置に配置され、中間位置では、第１筐体１は第２開き位置に配置され、第２筐体２は第１開き位置に配置されている。
【００２２】
図３に示す様に、第１筐体１の左右両側面には、リンク機構４をスライド可能に連結するための一対のガイド溝１２，１２が形成され、第２筐体２の左右両側面にも、リンク機構４をスライド可能に連結するための一対のガイド溝２２，２２が形成されている。尚、図３では、一対のガイド溝１２，１２の内、右側のガイド溝１２のみが示されており、左側のガイド溝１２は第１筐体１で隠れてしまっている。一対のガイド溝２２，２２についても同様である。
【００２３】
ベース体３には、図３に示す如く、第１及び第２筐体１，２の左右両側の位置に一対のリンク機構４，４を配置するための取付け具３１が配備されており、取付け具３１の左右両側端には、図５に示す如く、一対のリンク機構４，４を支持するための一対の支持台３２，３２が突設されている。各支持台３２には、図６に示す如く、一対の貫通孔３２１，３２２が上下に１つずつ形成されている。
【００２４】
図８に示す如くリンク機構４は、４本のアーム、即ち第１乃至第４アーム４１〜４４からなる４節リンク機構によって構成されている。第１アーム４１と第２アーム４２は互いに平行に伸びており、第１アーム４１には、両端位置に第１及び第２支軸４１１，４１２が形成されると共に中間位置に第３支軸４１３が形成され、第２アーム４２には、両端位置に第１及び第２支軸４２１，４２２が形成されると共に中間位置に第３支軸４２３が形成されている。
又、第１アーム４１の第１支軸４１１と第２支軸４１２の間の距離Ｌ１と、第２アーム４２の第１支軸４２１と第２支軸４２２の間の距離Ｌ２は同じである。
【００２５】
第１アーム４１の第３支軸４１３は、支持台３２の貫通孔３２１に対して外側から回転可能に連結され、第２アーム４２の第３支軸４２３は、支持台３２の貫通孔３２２に対して外側から回転可能に連結されている。これにより、第１アーム４１は、第３支軸４１３を支点として第１支軸４１１と第２支軸４１２を互いに逆方向に移動させることが出来、第２アーム４２は、第３支軸４２３を支点として第１支軸４２１と第２支軸４２２を互いに逆方向に移動させることが出来る。
【００２６】
このとき、第１アーム４１の第１及び第２支軸４１１，４１２は何れも内側に向けられており、第１支軸４１１と第２支軸４１２は支持台３２の両端縁に沿って上下に移動することとなる。同様に、第２アーム４２の第１及び第２支軸４２１，４２２も内側に向けられており、第１支軸４２１と第２支軸４２２は支持台３２の両端縁に沿って上下に移動することとなる。
【００２７】
第３アーム４３には、第１アーム４１と第２アーム４２のそれぞれの第１支軸４１１，４２１が回転可能に連結される一対の軸受け部４３１，４３２が形成され、一対の軸受け部４３１，４３２は、支持台３２の一対の貫通孔３２１，３２２間の距離Ｗ１と同じ距離Ｗ２だけ互いに離間している。
又、第４アーム４４には、第１アーム４１と第２アーム４２のそれぞれの第２支軸４１２，４２２が回転可能に連結される一対の軸受け部４４１，４４２が形成され、一対の軸受け部４４１，４４２は、支持台３２の一対の貫通孔３２１，３２２間の距離Ｗ１と同じ距離Ｗ３だけ互いに離間している。
【００２８】
第３アーム４３の一対の軸受け部４３１，４３２に第１アーム４１と第２アーム４２のそれぞれの第１支軸４１１，４２１を連結し、第４アーム４４の一対の軸受け部４４１，４４２に第１アーム４１と第２アーム４２のそれぞれの第２支軸４１２，４２２を連結することにより、第１及び第２アーム４１，４２の互いに対応する端部どうしが、第３アーム４３と第４アーム４４によって互いに連結されることとなる。
【００２９】
しかも、第１アーム４１の第１支軸４１１と第２支軸４１２の間の距離Ｌ１と、第２アーム４２の第１支軸４２１と第２支軸４２２の間の距離Ｌ２が同じであり、且つ第３アーム４３の一対の軸受け部４３１，４３２間の距離Ｗ２と第４アーム４４の一対の軸受け部４４１，４４２間の距離Ｗ３が何れも、支持台３２の一対の貫通孔３２１，３２２間の距離Ｗ１と同じであるので、上記の如く連結された４本のアーム４１〜４４は、図１３（ｂ）に破線で示された平行四辺形Ｐの４つの辺に対応することとなる。
【００３０】
従って、第１アーム４１は、第１支軸４１１と第２支軸４１２の中間位置に形成された第３支軸４１３を支点として回転することが可能であると同時に、第２アーム４２は、第１アーム４１と平行を維持しながら、第１支軸４２１と第２支軸４２２の中間位置に形成された第３支軸４２３を支点として回転することが可能である。従って、第１アーム４１と第２アーム４２とを回転することにより、第１アーム４１と第２アーム４２の両端に連結されている第３アーム４３と第４アーム４４は、第３支軸４１３，４２３を支点として互いに逆方向に移動することとなる。
【００３１】
このとき、第３アーム４３は、一対の軸受け部４３１，４３２を結ぶ仮想線を、第１アーム４１と第２アーム４２のそれぞれの第３支軸４１３，４２３を結ぶ仮想線に対して平行に維持しながら移動することとなる。又、第４アーム４４は、一対の軸受け部４４１，４４２を結ぶ仮想線を、第１アーム４１と第２アーム４２のそれぞれの第３支軸４１３，４２３を結ぶ仮想線に対して平行に維持しながら移動することとなる。
即ち、第１及び第２アーム４１，４２の回転に対して、第３アーム４３と第４アーム４４はそれぞれ、同じ姿勢を維持したまま逆方向に移動することとなる。
【００３２】
更に、第３アーム４３には、図８に示す様に、第１筐体１のガイド溝１２にスライド可能に係合する一対の係合部４３３，４３４が内側に向かって突設され、一対の係合部４３３，４３４は、第１筐体１をスライドさせる方向に沿って互いに離間している。そして、一対の係合部４３３，４３４は、第３アーム４３の端部を構成している。
【００３３】
図９に示す様に、第３アーム４３の一対の係合部４３３，４３４を第１筐体１のガイド溝１２に係合させることにより、第３アーム４３の一対の係合部４３３，４３４が第１筐体１に対してスライド可能に連結されることとなり、その結果、第１筐体１は、一方の係合部４３３に対して他方の係合部４３４が離間している離間方向に沿って移動することのみが可能となる。
即ち、第１筐体１は第３アーム４３に対して同じ姿勢を維持することとなる。
【００３４】
又、第４アーム４４には、図８に示す様に、第２筐体２のガイド溝２２にスライド可能に係合する一対の係合部４４３，４４４が内側に向かって突設され、一対の係合部４４３，４４４は、第２筐体２をスライドさせる方向に沿って互いに離間している。そして、一対の係合部４４３，４４４は、第４アーム４４の端部を構成している。
【００３５】
図９に示す様に、第４アーム４４の一対の係合部４４３，４４４を第１筐体２のガイド溝２２に係合することにより、第４アーム４４の一対の係合部４４３，４４４が第２筐体２に対してスライド可能に連結されることとなり、その結果、第２筐体２は、一方の係合部４４３に対して他方の係合部４４４が離間している離間方向に沿って移動することのみが可能となる。
即ち、第２筐体２は第４アーム４４に対して同じ姿勢を維持することとなる。
【００３６】
そして、第３アーム４３の一対の係合部４３３，４３４と、第４アーム４４の一対の係合部４４３，４４４は、第３アーム４３と第４アーム４４が第１アーム４１と第２アームに連結された状態において、一対の係合部４３３，４３４の離間方向と一対の係合部４４３，４４４の離間方向とが平行となる様に形成されている。
従って、第１筐体１のスライド方向と第２筐体２のスライド方向とは互いに平行になっている。
【００３７】
上述したリンク機構４の構成によれば、全閉位置から全開位置までの何れの位置においても、第１筐体１と第２筐体２は全閉位置での姿勢と同じ姿勢を維持することとなる。従って、第１ディスプレイ１１の表面と第２ディスプレイ２１の表面は互いに平行に維持されることとなる。
【００３８】
尚、上述したリンク機構４においては、第３アーム４３の一対の係合部４３３，４３４が第１筐体１に連結されることによって、第１筐体１に対して回転可能且つ筐体１のスライド方向と平行な摺動が可能に連結された第１連結部が構成され、第４アーム４４の一対の係合部４４３，４４４が第２筐体２に連結されることによって、第２筐体２に対して回転可能且つ第２筐体２のスライド方向と平行な摺動が可能に連結された第２連結部が構成されている。
【００３９】
又、第１アーム４１の第３支軸４１３と第２アーム４２の第３支軸４２３が、ベース体３の支持台３２に連結されることによって、ベース体３に回転可能に連結された第３連結部が構成され、第１アーム４１と第２アーム４２によって、第３連結部を支点として第１連結部と第２連結部を互いに逆方向に移動させるリンク部が構成されている。
【００４０】
更に、本実施の形態に係る開閉式小型電子機器は、全閉位置と中間位置との間での第１筐体１と第２筐体の円滑な移動が可能な構成を有している。
具体的には、図１３（ａ）に示す如く第２筐体２の裏面側に、該裏面に向けて第１係合部５１と第２係合部５２が突設されたロック部５が配備され、第１係合部５１は、第１筐体１の裏面まで伸びる一方、第２係合部５２は、第１筐体の側面に沿って第２筐体２の裏面まで伸びている。尚、ロック部５１は、図３に示す様に左右に１つずつ配備されている。
【００４１】
そしてロック部５１は、第１ばね部材６１によって、上方に向けて、即ち第２筐体２の裏面に向けて付勢されている。第１ばね部材６１は圧縮ばねであり、図１３（ａ）に示す様に、下端がベース体３に固定され、上端がロック部５の裏面に固定されている。
又、ロック部５は、第１ばね部材６１の付勢力に抗して下方に移動することが可能であり、ロック部５の移動に伴って第１係合部５１と第２係合部５２は同じ方向へ同じ距離だけ移動する。
【００４２】
図１３（ａ）に示す様にロック部５には更に、ベース体３の側面に露出した突起部５３が形成され、ベース体３には、突起部５３の下方への移動を受け止める受け部３３が形成されている。
【００４３】
更に又、第１筐体１は、図１９に示す如く、閉じ位置から第２開き位置へ向けて第２ばね部材６２によって付勢されている。第２ばね部材６２は、第１筐体１の内部に配置された圧縮ばねであり、第２ばね部材６２は、第２開き位置から閉じ位置への第１筐体１の移動に伴って圧縮されるように、その一端が第１筐体１に固定されると共に、他端が支持部材６２１を介してベース体３に固定されている。
【００４４】
又、図１３（ａ）に示す様に第１筐体１の裏面には、第１傾斜面１４と第１係合受け部１３が形成され、第１傾斜面１４には、図１７（ａ）に示す如く、第１筐体１が第２開き位置から閉じ位置まで移動する過程においてロック部５の第１係合部５１が当接し、第１係合受け部１３には、図１７（ｂ）に示す如く、閉じ位置にて第１係合部５１が係脱可能に嵌め込まれる。
【００４５】
一方、第２筐体２は、図１９に示す如く、第１開き位置から閉じ位置へ向けて第３ばね部材６３によって付勢されている。第３ばね部材６３は、第２筐体２の内部に配置された圧縮ばねであり、第３ばね部材６３は、閉じ位置から第１開き位置への第２筐体２の移動に伴って圧縮されるように、その一端が第２筐体２に固定されると共に、他端が支持部材６３１を介してベース体３に固定されている。
【００４６】
又、図１３（ａ）に示す様に第２筐体２の裏面には、第２傾斜面２５１と第２係合受け部２３が形成され、第２傾斜面２５１には、図１４（ａ）に示す如く、第２筐体２が閉じ位置から第１開き位置まで移動する過程においてロック部５の第２係合部５２が当接し、第２係合受け部２３には、図１５（ａ）に示す如く、第１開き位置にて第２係合部５２が係脱可能に嵌め込まれる。
尚、第２筐体２の裏面には更に、第２筐体２が閉じ位置と第１開き位置との間を移動する過程においてロック部５の第２係合部５２が通る凹部２４と、凹部２４と第２係合受け部２３とを仕切る仕切り部２５とが形成されており、第２傾斜面２５１は、凹部２４に面した状態で仕切り部２５に形成されている。
【００４７】
斯くして、第２ばね部材６２と第３ばね部材によって、第１筐体１を閉じ位置から第２開き位置へ向けて付勢すると共に、第２筐体２を第１開き位置から閉じ位置へ向けて付勢する付勢機構が構成されている。
又、ロック部５と第１及び第２係合部受け部１３，２３によって、第２ばね部材６２の付勢力に抗して第１筐体１が閉じ位置にて係止された状態と、第３ばね部材６３の付勢力に抗して第２筐体２が第１開き位置にて係止された状態とを実現することが可能な係止機構が構成されている。
更に、ロック部５と第１及び第２傾斜面１４，２５１によって、第２筐体２が閉じ位置から第１開き位置までスライドする動作に連動して、第１係合部５１と第１係合受け部１３との係合よる第１筐体１の係止を解除し、第１筐体１が第２開き位置から閉じ位置までスライドする動作に連動して、第２係合部５２と第２係合受け部２３との係合による第２筐体２の係止を解除する係止解除機構が構成されている。
【００４８】
次に、上述した開閉式小型電子機器の開閉動作について説明する。図９、図１３（ａ）及び図１３（ｂ）に示す全閉位置では、第１筐体１上に第２筐体２が重なっており、第１ディスプレイ１１の全表面が第２筐体２によって覆われている。しかし、第２ディスプレイ２１の表面が露出しているので、第２ディスプレイ（２１）を用いて情報の表示が可能である。
【００４９】
図１３（ａ）に示す様に、全閉位置においては、ロック部５は第１ばね部材６１の付勢力によって上方に移動しており、第１係合部５１が第１係合受け部１３に係合し、第２係合部５２が第２係合受け部２３から離脱した状態で凹部２４に嵌まっている。
【００５０】
全閉位置では、第２ばね部材６２は圧縮されて縮んだ状態となるので（図１９参照）、第１筐体１は、第２ばね部材６２によって閉じ位置から第２開き位置へ向けて付勢されるが、この付勢力は第１係合部５１と第１係合受け部１３との係合力によって受け止められるので、第１筐体１は、第２ばね部材６２の付勢力に抗して閉じ位置にて維持されることになる。
【００５１】
一方、第２筐体２は、第３ばね部材６３によって第１開き位置から閉じ位置へ向けて付勢されており、従って第２筐体２は、図１８に示す様に閉じ位置にて維持されることとなる。その結果、第２筐体２によって第１ディスプレイ１１の全表面が覆われることとなる。
【００５２】
又、図１３（ｂ）に示す様に、全閉位置でのリンク機構４は、第１筐体１と第２筐体２の配置に従って、第３アーム４３が下方位置に配置され、これに連動して第４アーム４４が上方位置に配置されている。
【００５３】
そして、両筐体１，２を全閉位置から全開位置まで移動させる場合、図１９に示す如く第２筐体２を、第３ばね部材６３の付勢力に抗して閉じ位置から第１開き位置まで手動でスライドさせることにより、図１４（ａ）に示す如く、その過程においてロック部５の第２係合部５２が第２傾斜面２５１に当接した後、第２筐体２のスライド動作に連動して第２係合部５２は第２傾斜面２５１を摺動し、これにより第２係合部２は第１ばね部材６１の付勢力に抗して付勢方向とは反対方向（下方）に移動することとなる。
これに伴って第１係合部５１は、第２係合部５２と同じ方向（下方）に移動して第１係合受け部１３から離脱し、従って図２０に示す様に第１筐体１は、第２ばね部材６２の付勢力によって閉じ位置から第２開き位置まで移動（スライド）することとなる。
【００５４】
図１１及び図１５（ｂ）に示す様に、第１筐体１が閉じ位置から第２開き位置まで移動（スライド）することにより、リンク機構４の第３アーム４３に形成されている一対の係合部４３３，４３４は、第１筐体１のガイド溝１２に沿って、第１筐体がスライドする方向とは反対方向に相対的に移動する。そして、一方の係合部４３４がガイド溝１２の終端位置に達することにより、第１筐体１のスライドが制止されることとなる。
【００５５】
第１筐体１が閉じ位置から第２開き位置へ向けてスライドしたのと同時又はその後に、更に第２筐体２を第１開き位置へ向けて手動でスライドさせることにより、第２筐体２は第１開き位置まで移動することとなる。このとき、仕切り部２５を越えたロック部５の第２係合部５２は、第１ばね部材６１の付勢力によって上方へ移動し、第２筐体２の第２係合受け部２３に係合することとなる。これにより、開閉式小型電子機器は、中間位置に到達することとなる。
【００５６】
中間位置では、図２０に示す様に、第３ばね部材６３は圧縮されて縮んだ状態となるので、第２筐体２は、第３ばね部材６３によって第１開き位置から閉じ位置へ向けて付勢されるが、この付勢力は第２係合部５２と第２係合受け部２３との係合力によって受け止められるので、第２筐体２は、第３ばね部材６３の付勢力に抗して第１開き位置にて維持されることになる。
【００５７】
一方、第１筐体１は、第２ばね部材６２によって閉じ位置から第２開き位置へ向けて付勢されており、従って第１筐体１は、図２０に示す様に第２開き位置にて維持されることとなる。その結果、第１ディスプレイ１１の全表面が露出することとなる。
【００５８】
図１３（ｂ）〜図１５（ｂ）に示す様に、リンク機構４は、全閉位置から中間位置までの間においては、全閉位置での配置と同様に、第３アーム４３が下方位置に配置され、これに連動して第４アーム４４が上方位置に配置されている。
【００５９】
中間位置の状態では、第１筐体１の第１ディスプレイ１１と第２筐体２の第２ディスプレイ２１の両方の表面が露出することになるが、第１ディスプレイ１１と第２ディスプレイ２１との間には段差が生じている。
【００６０】
図１６（ｂ）に示す如く、中間位置から第２筐体２を下方に押し下げることにより、上方位置に配置されていたリンク機構４の第４アーム４４は下方に移動し、下方位置に配置されていた第３アーム４３は、第４アーム４４の移動に連動して第４アーム４４の移動方向とは逆方向（上方）に移動する。これにより、第１筐体１が上方に押し上げられることとなる。
従って、第１ディスプレイ１１と第２ディスプレイ２１との間の段差が小さくなる。このとき、ロック部５の突起部５３は、第２筐体２の移動に伴って下方へ移動することとなる。
【００６１】
そして、第１ディスプレイ１１と第２ディスプレイ２１との間に殆ど段差がない状態となったときに、ロック部５の突起部５３の下方への移動がベース体３の受け部３３によって受け止められ、これにより第１筐体１と第２筐体２の移動が制止される。これにより、第１ディスプレイ１１の画面と第２ディスプレイ２１の画面とが略同一平面上に揃い、開閉式小型電子機器は、図１２、図１６（ａ）及び図１６（ｂ）に示す全開位置に到達する。
この状態では、第１ディスプレイ１１の画面と第２ディスプレイ２１の画面とが略同一平面上に揃っているので、２つのディスプレイ１１，２１の画面に跨って画像を表示した場合に画像の連続性を保つことが出来る。
【００６２】
図１６（ａ）に示す様に全開位置では、第１ばね部材６１は圧縮されて縮んだ状態になるので、第２筐体２は、第１ばね部材６１によって上方に付勢されるが、リンク機構４には軟係止機構が内蔵されており、該軟係止機構による軟係止によって第１ばね部材６１の付勢力が受け止められることになる。従って、第２筐体２は、第１ばね部材６１の付勢力に抗して全開位置に維持されることになる。
【００６３】
一方、両筐体１，２を全開位置から全閉位置まで移動させる場合、全開位置から第１筐体１を下方に押し下げる。これにより、リンク機構４の第３アーム４３は下方位置に移動し、第４アーム４４は、第３アーム４３の移動に連動して第３アーム４３の移動方向とは逆方向（上方）に移動する。これにより、第２筐体２は押し上げられ、第１筐体１と第２筐体２は図１５（ａ）に示す中間位置まで移動する。
【００６４】
そして、図１７（ａ）に示す如く第１筐体１を、第２ばね部材６２の付勢力に抗して第２開き位置から閉じ位置まで手動でスライドさせることにより、その過程においてロック部５の第１係合部５１が第１傾斜面１４に当接し後、第１筐体１のスライド動作に連動して第１係合部５１は第１傾斜面１４を摺動し、これにより第１係合部５１は第１ばね部材６１の付勢力に抗して付勢方向とは反対方向（下方）に移動することとなる。
これに伴って第２係合部５２は、第１係合部５１と同じ方向（下方）に移動して第２係合受け部２５１から離脱し、従って図１７（ｂ）に示す様に第２筐体２は、第３ばね部材６３の付勢力によって第１開き位置から閉じ位置に移動（スライド）することとなる。
【００６５】
第２筐体２が第１開き位置から閉じ位置へ向けてスライドしたのと同時又はその後に、更に第１筐体１を第２開き位置から閉じ位置へ向けて手動でスライドさせることにより、第１筐体１は閉じ位置まで移動することとなる。このとき、ロック部５の第１係合部５１は、第１ばね部材６１の付勢力によって上方へ移動し、第１筐体１の第１係合受け部１３に係合することとなる。これにより、開閉式小型電子機器は、全閉位置に到達することとなる。
【００６６】
上述した開閉式小型電子機器によれば、該開閉式小型電子機器を全閉位置から全開状態へ移行させる場合には、第２筐体２に対して、手動で行うスライド操作と押圧操作とをこの順に実行するだけでよい。これにより、第１ディスプレイ１１と第２ディスプレイ２１とが露出した状態で略同一平面上に揃うこととなる。
一方、開閉式小型電子機器を全開位置から全閉位置へ移行させる場合には、第１筐体１に対して、手動で行う押圧操作とスライド操作とをこの順に実行するだけでよい。これにより、第２筐体２によって第１ディスプレイ１１の全表面が覆われることとなる。
【００６７】
従って、第１筐体１及び第２筐体２の何れか一方の筐体を操作するだけで、第２筐体２によって第１ディスプレイ１１の全表面が覆われた状態（全閉位置）と、第１ディスプレイ１１の全表面が露出した状態（中間位置又全開位置）とを実現することが出来、その結果、開閉式小型電子機器の開閉時の操作性が向上することとなる。
【００６８】
尚、本発明の各部構成は上記実施の形態に限らず、特許請求の範囲に記載の技術的範囲内で種々の変形が可能である。例えば、本発明に係る開閉式小型電子機器は、上記実施の形態に限られるものでなく、該実施の形態と同様の動作を実現することが出来る種々の構成を含むものである。
【図面の簡単な説明】
【００６９】
【図１】本発明の実施の形態に係る開閉式小型電子機器を示す斜視図である。
【図２】該開閉式小型電子機器の上面図である。
【図３】該開閉式小型電子機器の分解斜視図である。
【図４】該開閉式小型電子機器を構成するリンク機構を示す上面図である。
【図５】該リンク機構を示す正面図である。
【図６】該リンク機構を示す側面図である。
【図７】該リンク機構の分解斜視図である。
【図８】図７に示すＢ領域の拡大斜視図である。
【図９】上記開閉式小型電子機器の全閉位置での状態を示す斜視図である。
【図１０】上記開閉式小型電子機器の中間位置に達する直前の位置での状態を示す斜視図である。
【図１１】上記開閉式小型電子機器の中間位置での状態を示す斜視図である。
【図１２】上記開閉式小型電子機器の全開位置での状態を示す斜視図である。
【図１３】上記開閉式小型電子機器の全閉位置での状態を示す、（ａ）図２のＡ−Ａ線に沿う断面図、及び（ｂ）側面図である。
【図１４】上記開閉式小型電子機器の中間位置に達する直前の位置での状態を示す、（ａ）図２のＡ−Ａ線に沿う断面図、及び（ｂ）側面図である。
【図１５】上記開閉式小型電子機器の中間位置での状態を示す、（ａ）図２のＡ−Ａ線に沿う断面図、及び（ｂ）側面図である。
【図１６】上記開閉式小型電子機器の全開位置での状態を示す、（ａ）図２のＡ−Ａ線に沿う断面図、及び（ｂ）側面図である。
【図１７】上記開閉式小型電子機器の中間位置から全閉位置までの状態を示す、図２のＡ−Ａ線に沿う断面図である。
【図１８】上記開閉式小型電子機器を構成する第２及び第３ばね部材の全閉位置での状態を示す上面図である。
【図１９】該第２及び第３ばね部材の中間位置に達する直前の位置での状態を示す上面図である。
【図２０】該第２及び第３ばね部材の全開位置での状態を示す上面図である。
【符号の説明】
【００７０】
１  第１筐体
１１  第１ディスプレイ
１２  ガイド溝
１３  第１係合受け部
１４  第１傾斜面
２  第２筐体
２１  第２ディスプレイ
２２  ガイド溝
２３  第２係合受け部
２４  凹部
２５  仕切り部
２５１  第２傾斜面
３  ベース体
３１  取付け具
３２  支持台
３３  受け部
４  リンク機構
４１  第１アーム
４１１  第１支軸
４１２  第２支軸
４１３  第３支軸
４２  第２アーム
４２１  第１支軸
４２２  第２支軸
４２３  第３支軸
４３  第３アーム
４３１，４３２  一対の軸受け部
４３３，４３４  一対の係合部
４４  第４アーム
４４１，４４２  一対の軸受け部
４４３，４４４  一対の係合部
５  ロック部
５１  第１係合部
５２  第２係合部
５３  突起部
６１  第１ばね部材
６２  第２ばね部材
６３  第３ばね部材
【図１】
2010154149.tif 000003
【図２】
2010154149.tif 000004
【図３】
2010154149.tif 000005
【図４】
2010154149.tif 000006
【図５】
2010154149.tif 000007
【図６】
2010154149.tif 000008
【図７】
2010154149.tif 000009
【図８】
2010154149.tif 000010
【図９】
2010154149.tif 000011
【図１０】
2010154149.tif 000012
【図１１】
2010154149.tif 000013
【図１２】
2010154149.tif 000014
【図１３】
2010154149.tif 000015
【図１４】
2010154149.tif 000016
【図１５】
2010154149.tif 000017
【図１６】
2010154149.tif 000018
【図１７】
2010154149.tif 000019
【図１８】
2010154149.tif 000020
【図１９】
2010154149.tif 000021
【図２０】
2010154149.tif 000022